(57)【要約】【課題】  バリカン刃部の掃除の容易化を図ることができる刈込機を提供する。【解決手段】  刈込機本体５１のバリカン刃部５３を収納する刃ケース２を液体貯留可能に袋状に形成したことにより、液体を貯留した刃ケース２に刈込機本体５１のバリカン刃部５３を収納することで、バリカン刃部５３が液体に浸され、バリカン刃部５３に付着した樹液などの付着物を除去することができる。【選択図】      図３
2006271230.tif 000002
【特許請求の範囲】
【請求項１】
側縁にバリカン刃が設けられた一対の重複されたブレードを有するバリカン刃部を備え、前記ブレードのうち少なくとも一方を往復動させる刈込機本体と、
液体貯留可能に袋状に形成され、前記バリカン刃部を収納する刃ケースと、
を備えることを特徴とする刈込機。
【請求項２】
前記刃ケースの底部の幅を、該刃ケースの他の部分の幅よりも広く形成したことを特徴とする請求項１に記載の刈込機。
【請求項３】
前記刃ケースの外側面に、前記バリカン刃部との摺擦により、前記バリカン刃部に付着している付着物を除去する付着物除去部材を設けたことを特徴とする請求項１に記載の刈込機。
【請求項４】
前記刃ケースの外側面に、前記バリカン刃部との摺擦により、前記バリカン刃部に付着している液体を除去する液体除去部材を設けたことを特徴とする請求項１に記載の刈込機。
【請求項５】
前記刃ケースの開口部の内側に、前記バリカン刃部との摺擦により、前記バリカン刃部に付着している液体を除去する液体除去部材を設けたことを特徴とする請求項１に記載の刈込機。
【請求項６】
前記刃ケースに前記バリカン刃部が収納される際に前記刈込機本体の電源スイッチを押して前記刈込機本体の電源を切る突起部を、前記刃ケースに設けたことを特徴とする請求項１に記載の刈込機。
【発明の詳細な説明】
【技術分野】
【０００１】
本発明は、植木や生け垣などの刈り込みを行う刈込機に関する。
【背景技術】
【０００２】
従来、植木や生け垣等の刈り込みを行う刈込機として、駆動部を有する本体部と、この本体部から突出して設けられたバリカン刃部とを有し、バリカン刃部の側縁に設けられたバリカン刃を往復動させて枝を切断するものがある（例えば、特許文献１参照）。
【特許文献１】特開２００１−２８６２２３号公報
【特許文献２】実用第２５７９０３８号公報
【発明の開示】
【発明が解決しようとする課題】
【０００３】
このような、刈込機のバリカン刃部には、植木や生け垣等の刈り込みによって、樹液などが付着することがある。このような樹液などの付着物をバリカン刃部から除去するには、ユーザは、濡れタオルなどでバリカン刃部を湿らして付着物を取り易くした後、その付着物をブラシなどを用いて除去する。しかしながら、このような清掃作業は、非常に面倒である。
【０００４】
本発明の目的は、バリカン刃部の掃除の容易化を図ることができる刈込機を提供することである。
【課題を解決するための手段】
【０００５】
請求項１に記載の発明の刈込機は、側縁にバリカン刃が設けられた一対の重複されたブレードを有するバリカン刃部を備え、前記ブレードのうち少なくとも一方を往復動させる刈込機本体と、液体貯留可能に袋状に形成され、前記バリカン刃部を収納する刃ケースと、を備えることを特徴とする。
【０００６】
請求項２に記載の発明は、請求項１に記載の刈込機において、前記刃ケースの底部の幅を、該刃ケースの他の部分の幅よりも広く形成したことを特徴とする。
【０００７】
請求項３に記載の発明は、請求項１に記載の刈込機において、前記刃ケースの外側面に、前記バリカン刃部との摺擦により、前記バリカン刃部に付着している付着物を除去する付着物除去部材を設けたことを特徴とする。
【０００８】
請求項４に記載の発明は、請求項１に記載の刈込機において、前記刃ケースの外側面に、前記バリカン刃部との摺擦により、前記バリカン刃部に付着している液体を除去する液体除去部材を設けたことを特徴とする。
【０００９】
請求項５に記載の発明は、請求項１に記載の刈込機において、前記刃ケースの開口部の内側に、前記バリカン刃部との摺擦により、前記バリカン刃部に付着している液体を除去する液体除去部材を設けたことを特徴とする。
【００１０】
請求項６に記載の発明は、請求項１に記載の刈込機において、前記刃ケースに前記バリカン刃部が収納される際に前記刈込機本体の電源スイッチを押して前記刈込機本体の電源を切る突起部を、前記刃ケースに設けたことを特徴とする。
【発明の効果】
【００１１】
請求項１に記載の発明によれば、液体を貯留した刃ケースにバリカン刃部を収納することでバリカン刃部が液体に浸され、バリカン刃部に付着した樹液などの付着物を除去することができる。よって、従来に比べてユーザが行う清掃作業が減り、バリカン刃部の掃除が容易化される。
【００１２】
請求項２に記載の発明によれば、刃ケースの底部を地面などの支持面に着地させて該刃ケースを支持面に置いた状態における該刃ケースの着地安定性が向上し、該刃ケースの転倒が防止される。
【００１３】
請求項３に記載の発明によれば、バリカン刃部に付着している付着物を除去することができる。
【００１４】
請求項４記載の発明によれば、バリカン刃部に付着している液体を除去することができる。
【００１５】
請求項５記載の発明によれば、刃ケースで液体に浸した刈込機のバリカン刃部を刃ケースから抜き出す際に、バリカン刃部に付着している液体を除去することができる。このように、刃ケースからバリカン刃部を抜き出す際に、液体除去部材によりバリカン刃部に付着している液体を除去することができるので、バリカン刃部の掃除の容易化を図ることができる。
【００１６】
請求項６記載の発明によれば、刃ケースに刈込機のバリカン刃部を収納したときには、突起部により刈込機の電源が切られるので、安全性の向上を図ることができる。
【発明を実施するための最良の形態】
【００１７】
本発明の一実施形態を図面に基づいて説明する。図１は、本実施形態の刈込機を示す平面図、図２は、その側面図、図３は、その縦断側面図、図４は、刈込機を支持面に置いた状態を示す側面図である。
【００１８】
図１ないし図４に示す本実施形態の刈込機１は、刈込機本体５１と、この刈込機本体のバリカン刃部５３を挿脱自在に収納する刃ケース２とを備えている。
【００１９】
図５は、刈込機本体５１を示す平面図である。図５に示すように、刈込機本体５１は、本体部５２と、この本体部５２から突出して設けられたバリカン刃部５３とを有している。この刈込機本体５１は、概略的には、本体部５２に内蔵するモータ（図示せず）の回転を偏心カム機構等でバリカン刃部５３のブレード５４，５５のうち少なくとも一方の往復動作に変換し、ブレード５４，５５の側縁に設けたバリカン刃５４ａ（上刃），５５ａ（下刃）により、植木や生け垣の枝等の切断を行うものである。
【００２０】
この刈込機本体５１は、図１での左側をユーザに近い側（手前側）として、運転スイッチ５６が設けられたグリップ５７と補助グリップ５８とを把持して使用される。また、本体部５２の前部（図１での右側の部分）には、保護カバー５９が装着されている。さらに、本体部５２の前部（図１での右側の部分）には、電源スイッチ６４が設けられている。この電源スイッチ６４は、本体部５２側からバリカン刃部５３側へ押されることにより、該刈込機本体５１の電源をＯＮにし、バリカン刃部５３側から本体部５２側へ押されることにより、該刈込機本体５１の電源をＯＦＦにするスイッチである。
【００２１】
そして、この刈込機本体５１には、本体部５２から前方に向けて、相互に平行な上押板６０及び下押板６１が延設されており、これら上押板６０および下押板６１の間に、一対（二枚）の重設されたブレード５４，５５が狭持されている。ブレード５４，５５は、結合部６２によって相対的に往復動可能に締結されており、二つのブレード５４，５５のうち少なくとも一方が長手方向に往復動することで、上側のブレード５４の側縁に形成された上刃５４ａと下側のブレード５５の側縁に形成された下刃５５ａとの間の間隙６３に導入された枝等の切断対象物（図示せず）が切断される。
【００２２】
図６は、刃ケース２を示す平面図、図７は、その正面図、図８は、その側面図、図９は、その縦断側面図、図１０は、刈込機本体５１を収納した状態の刃ケース２を示す縦断側面図である。なお、図９は、図６でのＡ−Ａ断面を示している。
【００２３】
図６ないし図１０に示すように、刃ケース２の外側面２ｂには、付着物除去部材であるブラシ３と、液体除去部材であるスポンジ４とが設けられ、刃ケース２の開口部２ａには、液体除去部材であるスポンジ５とが設けられている。
【００２４】
刃ケース２は、内部に液体貯留可能に袋状に形成されているとともに、内部に収納したバリカン刃部５３の全体を覆う大きさに形成されている。このようにバリカン刃部５３全体を覆うことにより安全性が確保される。
【００２５】
刃ケース２の底部２ｃの幅ａは、該刃ケース２の他の部分の幅ｂよりも広く形成されている。また、この底部２ｃには、地面等の支持面７１（図４参照）へ着地可能な平面状の着地面２ｄが形成されている。
【００２６】
ブラシ３は、刃ケース２の外側面２ｂにおいて開口部２ａ寄りに位置付けられて、一対設けられている。これらのブラシ３は、短冊状に形成されて、その長手方向を刃ケース２の長手方向に沿わせて配置されている。ブラシ３は、バリカン刃部５３との摺擦により、バリカン刃部５３に付着している付着物を除去する。
【００２７】
スポンジ４，５は、バリカン刃部５３との摺擦により、バリカン刃部５３に付着している液体を除去する。刃ケース２の外側面２ｂに設けられたスポンジ４は、短冊状に形成されて、その長手方向を刃ケース２の長手方向に沿わせて配置されている。
【００２８】
刃ケース２の開口部２ａには２つのスポンジ５（５ａ，５ｂ）が設けられ、これらのスポンジ５（５ａ，５ｂ）は、刃ケース２の厚さ方向で対向して接触配置されており、スポンジ５（５ａ，５ｂ）間は、開閉自在となっている。これらのスポンジ５（５ａ，５ｂ）は、刃ケース２にバリカン刃部５３が挿入されていないときには、開口部２ａを閉塞している。そして、スポンジ５（５ａ，５ｂ）間へバリカン刃部５３の挿入された場合には、スポンジ５（５ａ，５ｂ）は、弾性変形して刃ケース２へのバリカン刃部５３の内部への挿入を許容する。
【００２９】
また、刃ケース２には、開口部２ａ側の端部から外側へ突出した突起部６が設けられている。この突起部６は、刃ケース２に刈込機本体５１のバリカン刃部５３が収納される際に、刈込機本体５１の電源スイッチ６４をバリカン刃部５３側から本体部５２側へ押して（図２参照）、該刈込機本体５１の電源を切る（ＯＦＦにする）。
【００３０】
このような構成において、バリカン刃部５３の清掃手順を説明する。まず、刃ケース２に、流体である水や油や液体洗剤などの洗浄液を貯留する。そして、この刃ケース２に刈込機本体５１のバリカン刃部５３を収納して、図４に示すように、刃ケース２の着地面２ｄと刈込機本体５１の補助グリップ５８とを支持面７１に着地させて、刈込機１を支持面７１に置く。このとき、刃ケース２が開口部２ａを上方に向けて斜め状態となり、バリカン刃部５３が洗浄液に浸された状態となる。そして、バリカン刃部５３を洗浄液に、例えば、５分間浸す。これにより、バリカン刃部５３に付着していた樹液などの付着物が剥がれ落ちて除去される。したがって、バリカン刃部５３の清掃において、濡れタオルなどでバリカン刃部５３を湿らした後、全ての樹液などの付着物をブラシ３で除去する場合に比べて、ユーザが行う清掃作業が減り、バリカン刃部５３の掃除が容易化される。なお、このとき、刃ケース２に刈込機本体５１を収納した状態で刈込機１を壁などに立てかけて支持面７１に置いてもよい。
【００３１】
このようにバリカン刃部５３を洗浄液に浸した後、バリカン刃部５３を刃ケース２から引き出す。このとき、バリカン刃部５３がスポンジ５（５ａ，５ｂ）と摺擦して、バリカン刃部５３に付着している洗浄液がスポンジ５（５ａ，５ｂ）によって除去される。このように、刃ケース２からバリカン刃部５３を抜き出す際に、スポンジ５（５ａ，５ｂ）によりバリカン刃部５３に付着している洗浄液を除去することができるので、バリカン刃部５３の掃除の容易化を図ることができる。
【００３２】
ここで、バリカン刃部５３を洗浄液に浸す時間が足りない場合には、バリカン刃部５３に樹液などの付着物の一部が残留してしまうことが考えられる。この場合には、さらに、バリカン刃部５３を洗浄液に浸して樹液などの付着物を除去してもよいし、バリカン刃部５３をブラシ３に摺擦させて、ブラシ３によって、残留した樹液などの付着物を除去してもよい。この場合、既にバリカン刃部５３を洗浄液に浸していたので、残留した樹液などの付着物が剥がれ易くなっている。したがって、ブラシ３により容易に樹液などの付着物を除去することができる。また、このようにブラシ３によって樹液などの付着物を除去する場合でも、バリカン刃部５３に付着していた大部分の樹液は、既に、洗浄液にバリカン刃部５３を浸すことで除去されているので、バリカン刃部５３に付着した樹液などの付着物を全てブラシ３で除去する場合に比べて、ユーザが行う清掃作業が減り、バリカン刃部５３の掃除が容易化される。
【００３３】
また、本実施形態では、刃ケース２の外側面２ｂにもスポンジ４が設けられていることにより、バリカン刃部５３に付着した洗浄液などの液体を、スポンジ４によって除去することもできる。
【００３４】
また、本実施形態では、刃ケース２の底部２ｃの幅ａが、該刃ケース２の他の部分の幅ｂよりも広く形成されていることにより、刃ケース２の底部２ｃを支持面７１に着地させて刃ケース２を支持面７１に置いた状態における刃ケース２の着地安定性が向上し、刃ケース２の転倒が防止される。これにより、液体を貯留した刃ケース２からの液漏れが防止される。
【００３５】
また、本実施形態では、刃ケース２に刈込機本体５１のバリカン刃部５３が収納される際には、突起部６により、刈込機本体５１の電源スイッチ６４が押されて刈込機本体５１の電源が切られるので、刃ケース２に刈込機本体５１のバリカン刃部５３を収納したときの安全性が向上する。
【００３６】
なお、本発明は、本実施形態に限ることなく本発明の要旨を逸脱しない範囲で他の実施形態を各種採用することができる。
【図面の簡単な説明】
【００３７】
【図１】本発明の一実施形態の刈込機を示す平面図である。
【図２】その側面図である。
【図３】その縦断側面図である。
【図４】刈込機を支持面に置いた状態を示す側面図である。
【図５】刈込機本体を示す平面図である。
【図６】刃ケースを示す平面図である。
【図７】その正面図である。
【図８】その側面図である。
【図９】その縦断側面図である。
【図１０】刈込機本体を収納した状態の刃ケースを示す縦断側面図である。
【符号の説明】
【００３８】
１      刈込機
２      刃ケース
２ａ    開口部
２ｂ    外側面
３      ブラシ（付着物除去部材）
４      スポンジ（液体除去部材）
５      スポンジ（液体除去部材）
６      突起部
５１    刈込機本体
５３    バリカン刃部
６４    電源スイッチ
【図１】
2006271230.tif 000003
【図２】
2006271230.tif 000004
【図３】
2006271230.tif 000005
【図４】
2006271230.tif 000006
【図５】
2006271230.tif 000007
【図６】
2006271230.tif 000008
【図７】
2006271230.tif 000009
【図８】
2006271230.tif 000010
【図９】
2006271230.tif 000011
【図１０】
2006271230.tif 000012